(57)【要約】【課題】寿命判別機能を有する照明装置において、より簡便な手段で照明装置の寿命を判別可能とする。【解決手段】ランプＬの点灯回路１と、その点灯回路１を制御する点灯制御回路２と、ランプＬの脱着を検出する脱着検出回路３と、ランプＬの脱着回数をカウントして記憶しておくカウンタ回路４と、カウンタ回路４のカウント値が予め設定した寿命判別値を越えると点灯回路１の制御を切り換える又は寿命判別信号を送出する寿命判別回路５とを設けた。脱着検出回路３に代えて、カウンタ回路４にトリガ信号を送出するスイッチ回路を設けても良い。【選択図】図１
2006236665.tif 000002
【特許請求の範囲】
【請求項１】
光源の点灯回路と、その点灯回路を制御する点灯制御回路と、光源の脱着を検出する脱着検出回路と、光源の脱着回数をカウントして記憶しておくカウント手段と、カウント手段のカウント値が予め設定した寿命判別値を越えると点灯回路の制御を切り換える又は寿命判別信号を送出する寿命判別手段とを有することを特徴とする照明装置。
【請求項２】
光源の点灯回路と、その点灯回路を制御する点灯制御回路と、光源の脱着回数をカウントして記憶しておくカウント手段と、カウント手段にトリガ信号を送出するスイッチ手段と、カウント手段のカウント値が予め設定した寿命判別値を越えると点灯回路の制御を切り換える又は寿命判別信号を送出する寿命判別手段とを有することを特徴とする照明装置。
【請求項３】
光源の点灯回路と、その点灯回路を制御する点灯制御回路と、光源の点滅回数をカウントして記憶しておくカウント手段と、カウント手段のカウント値が予め設定した寿命判別値を越えると点灯回路の制御を切り換える又は寿命判別信号を送出する寿命判別手段とを有することを特徴とする照明装置。
【請求項４】
光源の点灯回路と、その点灯回路を制御する点灯制御回路と、点灯回路の電源投入回数をカウントして記憶しておくカウント手段と、カウント手段のカウント値が予め設定した寿命判別値を越えると点灯回路の制御を切り換える又は寿命判別信号を送出する寿命判別手段とを有することを特徴とする照明装置。
【請求項５】
光源の点灯回路と、リモコン受信回路と、リモコン受信回路からの信号により点灯回路を制御する点灯制御回路と、リモコン受信回路からの信号により点灯制御回路をオンオフ操作した回数をカウントして記憶しておくカウント手段と、カウント手段のカウント値が予め設定した寿命判別値を越えると点灯回路の制御を切り換える又は寿命判別信号を送出する寿命判別手段とを有することを特徴とする照明装置。
【請求項６】
オンオフ操作回数をカウントして記憶しておくカウント手段と、カウント手段のカウント値が予め設定した寿命判別値を越えると送信機の表示器に器具寿命であることを表示させる又は送信機の音声表示により器具寿命であることを告知させる寿命判別手段を備えるリモコン送信機、及びこのリモコン送信機により操作される照明器具からなることを特徴とする照明装置。
【請求項７】
オンオフ操作回数をカウントして記憶しておくカウント手段と、カウント手段のカウント値が予め設定した寿命判別値を越えるとキー入力されてもコードを送信させない又は特定のコードを送信させる寿命判別手段を備えるリモコン送信機、及びこのリモコン送信機により操作される照明器具からなることを特徴とする照明装置。
【発明の詳細な説明】
【技術分野】
【０００１】
本発明は寿命判別機能を有する照明装置に関するものである。
【背景技術】
【０００２】
蛍光ランプ、ＨＩＤランプ等を使用した照明器具が使用されるようになって久しい。照明器具は使用において、ランプが寿命になると点灯しなくなる、点灯しにくくなる、或いは従来の明るさが出なくなるというように、使用者に寿命が来たことが容易に分かり、ランプを交換することになる。
【０００３】
一方、照明器具自体にも耐用年数、所謂寿命は存在する。それは、金属部品の疲労、酸化、プラスチック部品の劣化、変色、破損、安定器を構成する部品の劣化、絶縁抵抗の低下等によって現れる。にもかかわらず、ランプが正常に点灯している場合、一般的にユーザーは照明器具の寿命に気づかず使用し続けることが多い。寿命を越えて使用した場合の不都合点は、照明器具としての適正な性能が得られないばかりでなく、劣化した部位によっては、器具の破損、落下等の不安全状態を引き起こす危険性がある。
【０００４】
一般の電子機器、例えばテレビ等では種々の劣化によって、テレビの性能、例えば、画像の不鮮明さ、色変化、音の不調等によって、初期からの変化が比較的容易に分かり、機器が劣化してきていることが推測されやすい。ところがこれに対し、照明器具は主とした機能が、ランプを適正に光らせ、対象物を照らすことであるので、照明器具の劣化度合いが分かりにくいという現状がある。このため、使用者には器具の劣化が非常に分かりにくく、耐用年数が例えば１０年の照明器具が１０年以上、場合によっては数十年以上使用され続けることがある。
【０００５】
点灯装置の寿命を判定する手段として、特開２００１−１８５３７４号公報には放電灯の点灯時間を積算カウントし、所定時間を超えたことで寿命と判定する思想が開示されている。また、有寿命部品の温度を加味して積算カウント値を補正する思想も開示されている。しかし時間の累積カウンタは複雑であり、より簡便で小型・低コスト化可能な手段が望まれている。
【特許文献１】特開２００１−１８５３７４号公報
【発明の開示】
【発明が解決しようとする課題】
【０００６】
照明器具の現状の形態は、寿命が来たことが使用者に容易に判読される様にはなっていない。従って、照明器具の寿命による不安全状態を起こさないような手段が求められている。
【０００７】
本発明はこのような状況に鑑みてなされたものであり、寿命判別機能を有する照明装置において、より簡便な手段で照明装置の寿命を判別可能とすることを課題とするものである。
【課題を解決するための手段】
【０００８】
請求項１の照明装置は、上記の課題を解決するために、図１に示すように、ランプＬの点灯回路１と、その点灯回路１を制御する点灯制御回路２と、ランプＬの脱着を検出する脱着検出回路３と、ランプＬの脱着回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
請求項２の照明装置は、上記の課題を解決するために、図３に示すように、ランプＬの点灯回路１と、その点灯回路１を制御する点灯制御回路２と、ランプＬの脱着回数をカウントして記憶しておくカウンタ回路４と、カウンタ回路４にトリガ信号を送出するスイッチ回路６と、カウンタ回路４のカウント値が予め設定した寿命判別値を越えると点灯回路１の制御を切り換える又は寿命判別信号を送出する寿命判別回路５とを有することを特徴とする。
【０００９】
請求項３の照明装置は、上記の課題を解決するために、図４に示すように、ランプＬの点灯回路１と、その点灯回路１を制御する点灯制御回路２と、ランプＬの点滅回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
請求項４の照明装置は、上記の課題を解決するために、図５に示すように、ランプＬの点灯回路１と、その点灯回路１を制御する点灯制御回路２と、点灯回路１の電源投入回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
【００１０】
請求項５の照明装置は、上記の課題を解決するために、図８に示すように、ランプＬの点灯回路１と、リモコン受信回路８と、リモコン受信回路８からの信号により点灯回路１を制御する点灯制御回路２と、リモコン受信回路８からの信号により点灯制御回路２をオンオフ操作した回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
請求項６の照明装置は、上記の課題を解決するために、図９に示すように、オンオフ操作回数をカウントして記憶しておくカウンタ回路１４と、カウンタ回路１４のカウント値が予め設定した寿命判別値を越えると送信機の表示器に器具寿命であることを表示させる又は送信機の音声表示により器具寿命であることを告知させる寿命判別回路１５を備えるリモコン送信機１０、及びこのリモコン送信機１０により操作される照明器具９からなることを特徴とする。
請求項７の照明装置は、上記の課題を解決するために、図１０に示すように、オンオフ操作回数をカウントして記憶しておくカウンタ回路１４と、カウンタ回路１４のカウント値が予め設定した寿命判別値を越えるとキー入力されてもコードを送信させない又は特定のコードを送信させる寿命判別回路１５を備えるリモコン送信機１０、及びこのリモコン送信機１０により操作される照明器具９からなることを特徴とする。
【発明の効果】
【００１１】
請求項１の発明によれば、光源の交換回数をカウントして器具寿命を検知するようにしたから、定期的に光源を交換する用途或いは光源の寿命が点灯時間で決まるような点滅回数の少ない用途の照明器具において、光源の脱着回数をカウントするだけの簡易な制御回路で器具寿命を検知することができるという効果がある。
請求項２の発明によれば、電源オフした状態で光源を交換しても、次に光源を装着した時点でスイッチを操作することにより光源を取り替えた回数をカウントできるという効果がある。
【００１２】
請求項３の発明によれば、光源の点滅回数をカウントして器具寿命を検知するようにしたから、定期的にランプを点灯する用途の照明器具において、ランプの点灯回数をカウントするだけの簡易な制御回路で器具寿命を検知することが可能となる。
請求項４の発明によれば、電源投入回数をカウントして器具寿命を検知するようにしたから、定期的に電源投入する用途の照明器具において、電源投入回数をカウントするだけの簡単な構成で器具寿命を検知することができるという効果がある。
【００１３】
請求項５の発明によれば、リモコン操作回数を器具本体でカウントして器具寿命を検知するようにしたから、リモコン受信回路のマイクロコンピュータにカウント機能を持たせることにより、回路の簡略化と低コスト化が図れるという効果がある。
請求項６の発明によれば、リモコン操作回数を送信機でカウントして器具寿命を検知し、表示するようにしたから、リモコンに器具寿命を表示でき、また、照明器具を変更することなく器具寿命を告知できるという効果がある。
請求項７の発明によれば、リモコン操作回数を送信機でカウントして器具寿命を検知し、送信コードを制限するようにしたから、照明器具を変更することなく器具寿命を告知できるという効果がある。
【発明を実施するための最良の形態】
【００１４】
（実施形態１）
図１に本発明の実施形態１の構成を示す。この照明装置は、ランプＬの点灯回路１と、その点灯回路１を制御する点灯制御回路２と、ランプＬの脱着を検出する脱着検出回路３と、ランプＬの脱着回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。点灯回路１は例えば高周波インバータ、点灯制御回路２はその発振制御回路、ランプＬは例えば蛍光ランプであるが、これらに限定されるものではない。
【００１５】
ランプＬの脱着検出回路３は例えば図２に示すように、直流電圧源Ｃから蛍光ランプＬのフィラメント及び分圧抵抗を介した閉ループを形成する。この種の回路は無負荷やフィラメント断線等の異常検出保護回路として蛍光灯用インバータ回路には広く用いられており、ランプ異常検出回路と共用化することで回路の簡略化が可能となる。正常なランプが装着されているときは分圧抵抗の出力Ａ点及びＢ点に直流電圧が発生する。ランプＬが点灯回路からの高周波交流で点灯しているときは、Ａ点及びＢ点には高周波交流に直流電圧が重畳されるため、平滑することにより交流分は除去できる。一方、ランプＬが装着されていないとき或いはフィラメントが断線しているときは直流電圧が発生しないため、Ａ点及びＢ点の直流電圧の有無を判別することで、ランプＬが装着されているか否かを判別できる。
【００１６】
本実施形態では、電源投入状態でランプＬが外された状態から装着された状態に変化したことを検知してその回数をカウントする。つまり、カウンタ回路４では、ランプＬの脱着検出回路３からの信号の立ち上りの回数をカウントし、規定回数に達したら器具寿命と判断する。点滅回数が少なく、ランプ寿命が点灯時間でほぼ決まる用途又は一定周期でランプ交換メンテナンスをするような用途において、例えば１万時間毎にランプを交換して器具寿命が５万時間だとすると、５回目にランプが装着されてカウンタ回路４が５回目をカウントすると、その時点で装着されたランプが寿命となる或いは交換されるときには器具も寿命と判断する。
【００１７】
告知方法として、例えば５回目のランプが装着された時点で、次回ランプ寿命時には器具も取り替えてもらうように音声で案内する、或いは、表示用ＬＥＤを点灯したり、寿命判別信号を送出して外部監視器に通報し、点滅で合図等を実施し、５回目のランプが寿命となった時点で再度器具を取り替えてもらうように案内するか、或いは再点灯しないように点灯回路を停止させる等がある。
【００１８】
本実施形態は、定期的にランプを交換する用途或いはランプ寿命が点灯時間で決まるような点滅回数の少ない用途（例えば工場、オフィスのベースライトや街路灯など）の照明器具において、ランプ脱着回数をカウントするだけの簡易な回路構成で器具寿命を検知することが可能となる。
【００１９】
（実施形態２）
図３に本発明の実施形態２の構成を示す。この照明装置は、ランプＬの点灯回路１と、その点灯回路１を制御する点灯制御回路２と、ランプＬの脱着回数をカウントして記憶しておくカウンタ回路４と、カウンタ回路４にトリガ信号を送出するスイッチ回路６と、カウンタ回路４のカウント値が予め設定した寿命判別値を越えると点灯回路１の制御を切り換える又は寿命判別信号を送出する寿命判別回路５とを有することを特徴とする。
【００２０】
本実施形態は、例えば器具にプッシュスイッチを設けて、ランプ交換時にスイッチを押すことによりカウンタ回路４にトリガ信号を送出することでランプを取り替えた回数をカウントする。電源オフした状態でランプを交換しても、次にランプを装着した時点でスイッチを押すことによりランプを取り替えた回数をカウントできる。
【００２１】
（実施形態３）
図４に本発明の実施形態３の構成を示す。この照明装置は、ランプＬの点灯回路１と、その点灯回路１を制御する点灯制御回路２と、ランプＬの点滅回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
【００２２】
本実施形態では電源が投入され、ランプＬが点灯した状態を光センサＳで検知してその回数をカウントする。つまり、光センサＳからの点灯検知信号の立ち上りの回数をカウンタ回路４でカウントし、カウンタ回路４のカウント値が規定回数に達したら寿命判別回路５は器具寿命と判断する。
【００２３】
点灯検出手段として光センサＳを用いる構成を例示したが、ランプ電流を検出することでランプＬの点灯を検出しても同様の効果はある。
【００２４】
実用上の点滅回数が比較的安定しており、点滅回数と点灯時間が一定の比で決まる用途において、例えば、一日１回点灯し１０時間点灯の場合、器具の寿命が５万時間だとすると、５，０００回目にランプが点灯し、カウンタ回路４が５，０００回目をカウントすると、その時点で器具が寿命と判断する。
【００２５】
告知方法として例えば４，９００回目のランプが点灯された時点で、あと１００回点灯した時点（１，０００時間後）で器具が寿命に至るため、器具も取り替えてもらうように音声で案内する、或いは表示用ＬＥＤを点灯したり、寿命判別信号を送出して外部監視器に通報し、点滅で合図等を実施し、５，０００回目の点灯時点で再度器具を取り替えてもらうように案内するか、或いは再点灯しないように点灯回路を停止させる等がある。
【００２６】
本実施形態は、定期的にランプを点灯する用途（例えば工場、街路灯など）の照明器具において、ランプの点灯回数をカウントするだけの簡易な回路構成で器具寿命を検知することが可能となる。
【００２７】
（実施形態４）
図５に本発明の実施形態４の構成を示す。この照明装置は、ランプＬの点灯回路１と、その点灯回路１を制御する点灯制御回路２と、点灯回路１の電源投入回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
【００２８】
本実施形態では電源が投入されたことを、電源検出回路７からの信号の立ち上りを検知してその回数をカウントし、規定回数に達したら器具寿命と判断する。
【００２９】
電源検出回路７は、例えば図６に示すように交流電源Ｖｓを抵抗Ｒａ，Ｒｂで分圧して得られた電圧を整流回路ＤＢにより全波整流し、コンデンサＣ１により平滑した電圧を検出する簡単な回路で構成している。
【００３０】
実用上の点滅回数が比較的安定しており、点滅回数と点灯時間が一定の比で決まる用途において、例えば、一日１回点灯し１０時間点灯の場合、器具の寿命が５万時間だとすると、５，０００回目にランプが点灯し、カウンタ回路４が５，０００回目をカウントすると、その時点で器具が寿命と判断する。
【００３１】
告知方法として例えば４，９００回目の電源投入時点で、あと１００回電源投入した時点（１，０００時間後）で器具が寿命に至るため、器具も取り替えてもらうように音声で案内する、或いは表示用ＬＥＤを点灯したり、寿命判別信号を送出して外部監視器に通報し、点滅で合図等を実施し、５，０００回目の電源投入時点で再度器具を取り替えてもらうように案内するか、或いは再点灯しないように点灯回路を停止させる等がある。
【００３２】
本実施形態は、定期的に電源投入する用途（例えば工場、街路灯など）の照明器具において、電源投入回数をカウントするだけの簡易な回路構成で器具寿命を検知することが可能となる。
【００３３】
（実施形態５）
図７に本発明の実施形態５の構成を示す。本実施形態は、上述した電源投入回数をカウントする実施形態４において、電源が遮断されたこと、つまり、電源検出回路７の立ち下がりもカウントすることを特徴とする。本実施形態も上述の実施形態４と同等の効果が得られる。
【００３４】
（実施形態６）
図８に本発明の実施形態６の構成を示す。この照明装置は、ランプＬの点灯回路１と、リモコン受信回路８と、リモコン受信回路８からの信号により点灯回路１を制御する点灯制御回路２と、リモコン受信回路８からの信号により点灯制御回路２をオンオフ操作した回数をカウントして記憶しておくカウンタ回路４と、カウンタ回路４のカウント値が予め設定した寿命判別値を越えると点灯回路１の制御を切り換える又は寿命判別信号を送出する寿命判別回路５とを有することを特徴とする。
【００３５】
リモコン受信回路８は例えば赤外線受光部からの信号を受け取ってマイクロコンピュータによりデコードし、照明をオンオフ或いは調光する。本実施形態はリモコン受信回路８のマイクロコンピュータが照明オンオフの操作回数をカウントし、規定回数に達したら器具寿命と判断し、告知する。
【００３６】
本実施形態によれば、リモコン受信回路のマイクロコンピュータにカウンタ機能をもたせることにより、回路の簡略化と低コスト化を図ることができる。
【００３７】
（実施形態７）
図９に本発明の実施形態７の構成を示す。この照明装置は、オンオフ操作回数をカウントして記憶しておくカウンタ回路１４と、カウンタ回路１４のカウント値が予め設定した寿命判別値を越えると送信機の表示回路１６に器具寿命であることを表示させる寿命判別回路１５を備えるリモコン送信機１０、及びこのリモコン送信機１０により操作される照明器具９からなることを特徴とする。リモコン送信機１４は、通常のリモコン送信機と同様に、点灯、消灯、調光などのスイッチを備えるキー入力回路１１と、このキー入力回路１１からの信号を受けてリモコン信号（制御コード）を作成する送信制御回路１２と、作成されたリモコン信号を赤外線ＬＥＤなどを用いて送信する送信回路１３を備えており、照明器具９のランプＬを点灯、消灯、調光などの状態に切り替えることができる。カウンタ回路１４により照明オンオフの操作回数をカウントして記憶しておき、そのカウント値が予め設定した寿命判別値を越えると、寿命判別回路１５により照明器具９の寿命が到来したと判別され、寿命判別信号が出力される。この寿命判別信号を受けて、送信制御回路１２は照明器具９のランプＬを消灯させるリモコン信号を送出すると共に、表示回路１６により器具寿命であることを表示する。また、表示回路１６と共に、或いは表示回路１６に替えて、音声出力装置をリモコン送信機１０に内蔵し、器具寿命であることを告知させるようにしても良い。
【００３８】
本実施形態によれば、照明器具９の構成を既存の構成から変更することなく器具寿命を告知できる利点がある。
【００３９】
（実施形態８）
図１０に本発明の実施形態８の構成を示す。この照明装置は、オンオフ操作回数をカウントして記憶しておくカウンタ回路１４と、カウンタ回路１４のカウント値が予め設定した寿命判別値を越えるとキー入力されてもコードを送信させない又は特定のコードを送信させる寿命判別回路１５を備えるリモコン送信機１０、及びこのリモコン送信機１０により操作される照明器具９からなることを特徴とする。
【００４０】
このように、照明オンオフの操作回数をカウントし、そのカウント値が規定回数に達したら器具寿命と判断し、キー入力されても動作しなくなることで器具寿命を告知する、或いは調光しようとしても全点灯のコードを送信して調光しなくすることで器具寿命を告知する、または全点灯しようとしても調光のコードを送信して全点灯しなくすることで器具寿命を告知する。
【００４１】
本実施形態によれば、照明器具９の構成を既存の構成から変更することなく器具寿命を告知できる利点がある。
【００４２】
（実施形態９）
図１１に本発明の実施形態９の構成を示す。本実施形態は、寿命判別回路５内の少なくとも一部分を変更することにより、寿命判別値を変更可能としたものであり、使用環境に応じて寿命判別値を使用者或いは器具の施工者が設定することで、器具寿命をより適切に判別することが可能となるという効果がある。
【００４３】
図１１に例示した構成では、寿命判別回路５の寿命設定値を、ディップスイッチ１７等により使用者或いは器具の施工者が設定変更可能としたものである。本実施形態では、ランプ脱着回数をカウントして予め設定した寿命判別値を越えると寿命と判断するものであるが、脱着回数をカウント及び記憶して、内部に保持する寿命判別値よりも大きいまたは等しくなると、寿命と判断するマイクロコンピュータを寿命判別回路５に持つもので、内蔵する寿命判別値の標準値が５回のところ、ディップスイッチにより４回あるいは６回に切り換えられるものである。
【００４４】
例えば点滅回数の多い人感センサによる自動点滅場所に設置される器具においては、器具寿命に至るまでのランプ交換回数を多めに（例えば標準が５回のところを６回に）設定することで、使用環境に応じて設置時に判別値を設定することで器具寿命をより適切に告知することが可能となる。
【００４５】
また、器具設置時でなくても器具自体がセンサと組み合わせて出荷される場合には、工場でディップスイッチを操作して寿命判別値を設定することも可能である。
【００４６】
使用環境は点滅回数のみでなく、例えば断熱天井に設置されて、器具の周囲温度が高くなる場合には点灯回路の寿命も短くなるため、判別値の設定を少なくすることにより器具寿命をより適切に判別することが可能となる。
【００４７】
なお、上記各実施形態において、点灯制御回路２、カウンタ回路４、寿命判別回路５、リモコン受信回路８の全部又は一部の機能はマイクロコンピュータのプログラムで実現しても良い。
【図面の簡単な説明】
【００４８】
【図１】本発明の実施形態１の構成を示すブロック図である。
【図２】本発明の実施形態１に用いる脱着検出回路の回路図である。
【図３】本発明の実施形態２の構成を示すブロック図である。
【図４】本発明の実施形態３の構成を示すブロック図である。
【図５】本発明の実施形態４の構成を示すブロック図である。
【図６】本発明の実施形態４または５に用いる電源検出回路の回路図である。
【図７】本発明の実施形態５の構成を示すブロック図である。
【図８】本発明の実施形態６の構成を示すブロック図である。
【図９】本発明の実施形態７の構成を示すブロック図である。
【図１０】本発明の実施形態８の構成を示すブロック図である。
【図１１】本発明の実施形態９の構成を示すブロック図である。
【符号の説明】
【００４９】
Ｌ    ランプ（光源）
１    点灯回路
２    点灯制御回路
３    脱着検出回路
４    カウンタ回路
５    寿命判別回路
６    スイッチ回路
７    電源検出回路
８    リモコン受信回路
【図１】
2006236665.tif 000003
【図２】
2006236665.tif 000004
【図３】
2006236665.tif 000005
【図４】
2006236665.tif 000006
【図５】
2006236665.tif 000007
【図６】
2006236665.tif 000008
【図７】
2006236665.tif 000009
【図８】
2006236665.tif 000010
【図９】
2006236665.tif 000011
【図１０】
2006236665.tif 000012
【図１１】
2006236665.tif 000013